(57)【要約】【課題】  構造や作業手順を簡略化できる光コネクタ組立工具を提供する。【解決手段】  基台１１と、フェルール１にガイドピン２４を介して接続されるマスターフェルール２１を保持するヘッド部３１と、ヘッド部３１に保持されたマスターフェルール２１に接続されたフェルール１をマスターフェルール２１に向かって押圧するフェルール押圧部４１と、フェルール１の光ファイバ挿入穴に連通する内部空間に先端部が挿入された光ファイバ３をフェルール１の後方で把持する光ファイバ把持部５１と、フェルール押圧部４１および光ファイバ把持部５１の両方を共にヘッド部３１に向かってスライド移動させる駆動部６１とを備え、ヘッド部３１は、フェルール押圧部４１および光ファイバ把持部５１のスライド方向に対してマスターフェルール２１の向きを傾斜させることが可能な光コネクタ組立工具１０を用いる。【選択図】  図１
2005331563.tif 000002
【特許請求の範囲】
【請求項１】
一対のフェルールの先端面同士がガイドピンの嵌合を介して接続される光コネクタのフェルール（１）に形成された光ファイバ挿入穴（２）への光ファイバ（３）の挿入に用いられる光コネクタ組立工具であって、
基台（１１）と、前記フェルールにガイドピン（２４）を介して接続されるマスターフェルール（２１）を保持するヘッド部（３１）と、前記ヘッド部に保持されたマスターフェルールに接続されたフェルールを前記マスターフェルールに向かって押圧するフェルール押圧部（４１）と、前記フェルールの前記光ファイバ挿入穴に連通する内部空間（４）に先端部が挿入された光ファイバを前記フェルールの先端面（５）の反対側である後方で把持する光ファイバ把持部（５１）と、前記フェルール押圧部および前記光ファイバ把持部の両方を共に前記ヘッド部に向かってスライド移動させることが可能な駆動部（６１）とを備え、
前記ヘッド部は、前記フェルール押圧部および前記光ファイバ把持部のスライド方向に対して前記マスターフェルールの向きを傾斜させることができるように前記基台に対して回動可能に支持されていることを特徴とする光コネクタ組立工具（１０）。
【請求項２】
前記マスターフェルールは、前記フェルールの光ファイバ挿入穴と対応する位置に光ファイバ挿入穴（２２）を有し、該光ファイバ挿入穴には、端面（２３ａ）がマスターフェルールの先端面（２５）から突出するように光ファイバ（２３）が挿通固定されていることを特徴とする請求項１に記載の光コネクタ組立工具。
【請求項３】
前記フェルール押圧部と前記光ファイバ把持部との間には、前記先端部が前記フェルールの内部空間に挿入され且つ前記フェルールの後方で前記光ファイバ把持部に把持された光ファイバのたわみを許容する空間（７）が確保されていることを特徴とする請求項１または２に記載の光コネクタ組立工具。
【請求項４】
前記駆動部は、前記ヘッド部に向かってスライド移動可能なように前記基台に支持されており、前記フェルール押圧部および前記光ファイバ把持部は、前記駆動部がヘッド部に向かってスライド移動することによって前記ヘッド部に向かって駆動されるようになっていることを特徴とする請求項１ないし３のいずれかに記載の光コネクタ組立工具。
【請求項５】
前記駆動部は、スプリング（７１，７２）を介して前記フェルール押圧部および／または前記光ファイバ把持部と連結されており、前記スプリングの弾性的伸縮によって前記駆動部と前記フェルール押圧部および／または前記光ファイバ把持部との間隔が変動可能になっていることを特徴とする請求項４に記載の光コネクタ組立工具。
【請求項６】
前記駆動部は、前記ヘッド部に保持された前記マスターフェルールと前記フェルール押圧部に押圧された前記フェルールとの先端面同士の間に押圧力が付与される位置で前記基台に係止可能になっていることを特徴とする請求項４または５に記載の光コネクタ組立工具。
【発明の詳細な説明】
【技術分野】
【０００１】
本発明は、一対のフェルールの先端面同士がガイドピンの嵌合を介して接続されるフェルールのフェルールに形成された光ファイバ挿入穴への光ファイバの挿入に用いられる光コネクタ組立工具に関する。
【背景技術】
【０００２】
例えば、ＪＩＳ  Ｃ  ５９８１等に規定されるＭＴ形光コネクタによって光ファイバを突き合わせ接続可能に成端する作業では、前記光コネクタに形成された光ファイバ挿入穴に光ファイバ（裸光ファイバ）を挿入する工程がある。
フェルールの光ファイバ挿入穴に光ファイバを挿入するために用いられる光コネクタ組立工具としては、従来、フェルールを基台上に固定するフェルール固定部と、光ファイバを把持した光ファイバホルダと、フェルール固定部に向かって移動することで光ファイバホルダに把持された光ファイバの先端部を移動させるファイバ支持部と、フェルール固定部に向かって移動して該フェルール固定部に固定されたフェルールの先端面に当接することでフェルールの光ファイバ挿入穴内に位置する光ファイバの先端面を位置決めする位置決め部材（ヘッド）とを備えた光コネクタ組立工具が知られている（例えば、特許文献１参照）。
【０００３】
この種の光コネクタ組立工具を用いた場合、フェルールの光ファイバ挿入穴に光ファイバを挿入する手順は、以下のようになる。まず、フェルールをフェルール固定部に固定する。次いで、光ファイバの先端部の被覆を除去（口出し）した後、該光ファイバをファイバホルダに把持させる。次いで、ファイバホルダをファイバ支持部に載せて、ファイバ支持部をファイバホルダごとフェルール固定部に向かってスライド移動させることにより、光ファイバの先端部（裸光ファイバ）をフェルール内に挿入する。次いで、位置決め部材をフェルール固定部に向かって移動させてフェルールの先端面に当接させることにより、光ファイバ挿入穴に光ファイバを挿入及び位置決めする。光ファイバの挿入後は、フェルール内に接着剤を注入して光ファイバをフェルールに固定し、工具から取り外す。
【特許文献１】特開２００２−２２１６４０号公報
【発明の開示】
【発明が解決しようとする課題】
【０００４】
従来の光コネクタ組立工具の場合、光ファイバの先端部をフェルール内に挿入するためには、光ファイバを把持するファイバホルダが必要であり、ファイバホルダを支持または移動させるための工具の構造が複雑である。また、フェルールの光ファイバ挿入穴に光ファイバを挿入する工程と、フェルール内に挿入された光ファイバの端面をフェルールの先端面に位置決めする工程とが、それぞれ、ファイバ支持部のスライド移動と位置決め部材のスライド移動とにより行われているので、作業手順が煩雑である。
【０００５】
本発明は、上記事情に鑑みてなされたものであり、工具の構造や作業手順を簡略化できる光コネクタ組立工具を提供することを課題とする。
【課題を解決するための手段】
【０００６】
前記課題を解決するため、本発明は、一対のフェルールの先端面同士がガイドピンの嵌合を介して接続される光コネクタのフェルールに形成された光ファイバ挿入穴への光ファイバの挿入に用いられる光コネクタ組立工具であって、基台と、前記フェルールにガイドピンを介して接続されるマスターフェルールを保持するヘッド部と、前記ヘッド部に保持されたマスターフェルールに接続されたフェルールを前記マスターフェルールに向かって押圧するフェルール押圧部と、前記フェルールの前記光ファイバ挿入穴に連通する内部空間に先端部が挿入された光ファイバを前記フェルールの前記先端面の反対側である後方で把持する光ファイバ把持部と、前記フェルール押圧部および前記光ファイバ把持部の両方を共に前記ヘッド部に向かってスライド移動させることが可能な駆動部とを備え、前記ヘッド部は、前記フェルール押圧部および前記光ファイバ把持部のスライド方向に対して前記マスターフェルールの向きを傾斜させることができるように前記基台に対して回動可能に支持されていることを特徴とする光コネクタ組立工具を提供する。
【０００７】
上記光コネクタ組立工具においては、前記マスターフェルールは、前記フェルールの光ファイバ挿入穴と対応する位置に光ファイバ挿入穴を有し、該光ファイバ挿入穴には、端面がマスターフェルールの先端面から突出するように光ファイバが挿通固定されている構成も採用可能である。
また、前記フェルール押圧部と前記光ファイバ把持部との間には、前記先端部が前記フェルールの内部空間に挿入され且つ前記フェルールの後方で前記光ファイバ把持部に把持された光ファイバのたわみを許容する空間が確保されている構成も採用可能である。
前記駆動部は、前記ヘッド部に向かってスライド移動可能なように前記基台に支持されており、前記フェルール押圧部および前記光ファイバ把持部は、前記駆動部がヘッド部に向かってスライド移動することによって前記ヘッド部に向かって駆動されるようになっている構成も採用可能である。
前記駆動部は、スプリングを介して前記フェルール押圧部および／または前記光ファイバ把持部と連結されており、前記スプリングの弾性的伸縮によって前記駆動部と前記フェルール押圧部および／または前記光ファイバ把持部との間隔が変動可能になっている構成も採用可能である。
前記駆動部は、前記ヘッド部に保持された前記マスターフェルールと前記フェルール押圧部に押圧された前記フェルールとの先端面同士の間に押圧力が付与される位置で前記基台に係止可能になっている構成も採用可能である。
【発明の効果】
【０００８】
本発明によれば、ヘッド部に保持されるマスターフェルールがガイドピンを介してフェルールと接続（嵌合）することが可能であるので、フェルールはマスターフェルールに固定することができる。また、マスターフェルールを保持したヘッド部が回動可能であるので、ヘッド部を基台に対して上方に傾けることにより、マスターフェルールに対するフェルールの取り付けが手などで容易に行うことができる。
駆動部によってフェルール押圧部および光ファイバ把持部の両方を共にヘッド部に向かってスライド移動させることが可能なので、フェルールの光ファイバ挿入穴に光ファイバを挿入することと、フェルール内に挿入された光ファイバの端面をフェルールの先端面に位置決めすることとを、駆動部の操作によって一度に行うことができる。
以上により、工具の構造を簡略化することができ、工具の小型化や低価格化なども実現できる。また、作業手順を簡略化することができ、作業性や能率を向上させることが可能となる。
【発明を実施するための最良の形態】
【０００９】
以下、本発明を実施するための最良の形態について、図面を参照して説明する。
図１は、本発明の光コネクタ組立工具の一例を示す（ａ）平面図、（ｂ）長手方向に沿う断面図である。図２は、図１のＩＩ−ＩＩ線に沿う断面図である。図３は、図１のＩＩＩ−ＩＩＩ線に沿う断面図である。図４は、図１のＩＶ−ＩＶ線に沿う断面図である。図５は、マスターフェルールの一例を示す部分切欠正面図である。図６は、フェルールの一例を示す断面図である。
図７は、ヘッド部に保持されたマスターフェルールにフェルールを取り付ける様子を示す説明図である。図８は、ヘッド部が傾斜した状態でフェルール押圧部の進入が規制される様子を示す説明図である。図９は、光ファイバがフェルール内に挿入及び位置決めされる様子を示す説明図である。図１０は、光ファイバがフェルール内に挿入及び位置決めされる様子を示す平面図である。
【００１０】
図６に示すように、ここではフェルール１は、例えばＪＩＳ  Ｃ  ５９８１等に規定されるＭＴ形光コネクタフェルールである。
フェルール１の先端面５に対向する後端面６には、フェルール１の内部空間４に連通する挿入口６ａが開口しており、この挿入口６ａから光ファイバ３をフェルール１内に挿入できるようになっている。また、この挿入口６ａには光ファイバ３を保護するブーツ６ｂを装着することができる。
光ファイバ３としては、特に限定されるものではないが、例えばテープ心線等の多心光ファイバや単心光ファイバを用いることができる。光ファイバ心線の心数は、特に限定されるものではなく、単心、２心、４心、８心、１０心、１２心などが例示できる。
【００１１】
フェルール１の先端面５には１個または複数個の光ファイバ挿入穴２が配列状態に開口されている。光ファイバ挿入穴２のそれぞれには、光ファイバ３の先端に露出された裸光ファイバ３ａを挿通及び位置決めすることができる。各光ファイバ挿入穴２のフェルール先端面５側と反対の端は、フェルール１の内部空間４に連通している。
また、光ファイバ挿入穴２を介した両側には、一対のガイドピン穴（図示略）が形成されており、このガイドピン穴にはガイドピンを挿入及び嵌合できるようになっている。
【００１２】
さらにフェルール１は、先端面５および後端面６以外の側面に開口されて前記内部空間４に連通する窓４ａを有し、この窓４ａは、内部空間４への接着剤注入等に用いることができる。
フェルール１内には、窓４ａと対向する内部空間４の底面に台部４ｂが突設されている。この台部４ｂには、光ファイバ挿入穴２の内部空間４側の端部から延長して延びる誘い溝４ｃが形成されている。誘い溝４ｃは窓４ａを通してフェルール１外から目視可能である。誘い溝４ｃは、各光ファイバ挿入穴２ごとに設けられており、誘い溝４ｃに挿入された光ファイバ３を先端面５に向かって押し込むことにより、光ファイバ３を光ファイバ挿入穴２に円滑に案内することができる。誘い溝４ｃの断面形状は、特に限定されるものではなく、丸溝、Ｕ溝、Ｖ溝、角溝等が採用可能である。
【００１３】
図１等に示すように、本発明の光コネクタ組立工具１０は、基台１１と、ガイドピン２４を介してフェルール１と嵌合可能なマスターフェルール２１と、マスターフェルール２１を保持及び固定したヘッド部３１と、マスターフェルール２１に接続されたフェルール１をマスターフェルール２１に対して押圧するフェルール押圧部４１と、フェルール１内に先端部が挿入された光ファイバ３をフェルール１の先端面の反対側である後方で把持する光ファイバ把持部５１と、フェルール押圧部４１および光ファイバ把持部５１の両方を共にヘッド部３１に向かってスライド移動させることが可能な駆動部６１とを備える。
【００１４】
図１〜図４に示すように、基台１１は、図１（ｂ）における上下に組み合わせられるボディ１２及びカバー１３の２体から構成されており、概略細長な角箱状に形成されている。符号１１ａは、ボディ１２とカバー１３とを互いに固定する固定ネジである。
ボディ１２は、ほぼ、基台１１の天板１２ａ（図１（ｂ）の上側）、両側壁１２ｂ，１２ｂ（図１（ａ）の上下）およびヘッド部３１側の端部壁１２ｃを構成しており、カバー１３はほぼ、基台１１の駆動部６１側の端部壁１３ａおよび底板１３ｂ（図１（ｂ）の下側）を構成している。符号１８ａ，１８ｂ，１８ｃ，１８ｄは、ボディ１２の両側壁１２ｂ，１２ｂ間を橋絡するように形成された枠状のリブである。リブ１８ａ，１８ｂ，１８ｃ，１８ｄは、カバー１３の底板１３ｂに当接している。
【００１５】
ボディ１２の一端部（図１（ｂ）の左側）において、天板１２ａと端部壁１２ｃとの間は凹陥しており、ここにヘッド部３１を収納する収納凹所１４が形成されている。このヘッド部収納凹所１４の両側には、ボディ１２の両側壁１２ｂから延出するフランジ部１４ａが基台１１の天板１２ａよりも上方に突設されている。両フランジ部１４ａの間には、ヘッド部３１を軸支する軸３２が橋絡されている。
収納凹所１４の底面１４ｂは、基台１１の底板１３ｂと略平行に配置されている。端部壁１２ｃの近傍には、収納凹所１４の底面１４ｂから端部壁１２ｃ側に向かって下るような斜面１４ｃが形成されており、ヘッド部３１の傾斜（図７等参照）に干渉しないようになっている。
【００１６】
基台１１の天板１２ａには、基台１１の長手方向（図１（ａ）の左右方向）に延びる第１および第２のスライド溝１５，１６が形成されている。
第１のスライド溝１５は、ヘッド部収納凹所１４と第２のスライド溝１６との間に形成されている。図２に示すように、第１のスライド溝１５にはフェルール押圧部４１が該第１のスライド溝１５に沿ったスライド移動が可能なように嵌合されている。
第２のスライド溝１６は、基台１１の駆動部６１側の端部壁１３ａと第１のスライド溝１５との間に形成されている。図３，図４に示すように、第２のスライド溝１６には光ファイバ把持部５１及び駆動部６１が該第２のスライド溝１６に沿ったスライド移動が可能なように嵌合されている。
第１のスライド溝１５は、第２のスライド溝１６よりも幅が狭くなっており、光ファイバ把持部５１が第１のスライド溝１５に進入することが阻止されるようになっている。
図１（ａ）、図３に示すように、天板１２ａは、第１のスライド溝１５と第２のスライド溝１６との間に、第１のスライド溝１５より第２のスライド溝１６が低くなるような段差１２ｄを有する。
【００１７】
ヘッド部３１は、上述した基台１１の収納凹所１４に収容されている。ヘッド部３１は、上述したように、ボディ１２のフランジ部１４ａ同士の間に設けられた軸３２によって、回動可能に軸支されている。これにより、ヘッド部３１は、フェルール押圧部４１および光ファイバ把持部５１のスライド方向に対してマスターフェルール２１の向きを傾斜させることができるようになっている。
ヘッド部３１は、基台１１の端部壁１２ｃの位置よりも基台１１の長手方向の外側（図１（ａ）の左側）に操作部３３が延出しており、軸３２を中心としたヘッド部３１の回動を手動で容易に駆動できるようになっている。
ヘッド部３１は、第１のスライド溝１５の側が階段状に形成されており、その中段がマスターフェルール２１を固定するマスター固定部３４となっている。また、マスター固定部３４の下段には、第１のスライド溝１５の側に突出片３５が突出している。
【００１８】
マスター固定部３４においてマスターフェルール２１はその先端面２５を第１のスライド溝１５の側（フェルール押圧部４１の側）に向けて固定されている。
ヘッド部３１にマスターフェルール２１を固定する手段は特に限定されるものではないが、本形態例では、ヘッド部３１に対してネジ３４ａ等で固定されたワッシャー状の円板３４ｂ（押さえ板）がマスターフェルール２１の両側に設けられており、この押さえ板３４ｂがマスターフェルール２１の上面に張り出して押さえ込むことにより、マスターフェルール２１がヘッド部３１に固定されている。
【００１９】
図１，図５に示すように、マスターフェルール２１は、ＪＩＳ  Ｃ  ５９８１等に規定されるＭＴ形光コネクタフェルールまたはその類似品である。
マスターフェルール２１の先端面２５には１個または複数個の光ファイバ挿入穴２２が配列状態（１列または複数列）に開口されている。また、光ファイバ挿入穴２２を介した両側には、一対のガイドピン穴（図示略）が形成されており、このガイドピン穴にはガイドピン２４が挿入及び嵌合されている。
光ファイバ挿入穴２２のそれぞれには、光ファイバ２３が挿通及び固定されている。この光ファイバ２３の端面２３ａは、マスターフェルール２１の先端面２５から突出している。
【００２０】
マスターフェルール２１は、ガイドピン２４をフェルール１の先端面５に形成されたガイドピン穴（図示略）に挿入及び嵌合することにより、フェルール１と着脱可能に嵌合（接続）できるようになっている。マスターフェルール２１の光ファイバ挿入穴２２のピッチは、フェルール１の光ファイバ挿入穴２のピッチと等しくされており、フェルール１とマスターフェルール２１とを嵌合した状態では、フェルール１及びマスターフェルール２１の各光ファイバ挿入穴２２の位置が互いに対応して、マスターフェルール２１の光ファイバ２３がフェルール１の光ファイバ挿入穴２に進入するようになっている。
【００２１】
図１（ａ）、（ｂ）に示すように、ヘッド部３１は、ヘッド部収納凹所１４の底面１４ｂ上に載置された状態では、マスター固定部３４に保持されたマスターフェルール２１の先端面２５がフェルール押圧部４１の押圧片４３（詳しくは後述）とほぼ正対する位置に配置されるとともに、突出片３５の先端部が、フェルール押圧部４１の押圧片４３の下方に潜り込む位置に配置されるようになっている。この状態では、フェルール押圧部４１の押圧片４３がマスターフェルール２１に保持されたフェルール１の後端面６に当接して該フェルール１を押圧することが許容される（図９参照）。
また、図７，図８に示すように、ヘッド部３１を上方に傾斜させた状態では、突出片３５の先端部が、フェルール押圧部４１の押圧片４３の進入先に配置され、この状態では、フェルール押圧部４１の押圧片４３がマスターフェルール２１に保持されたフェルール１の後端面６に当接することを阻止している（図８参照）。
【００２２】
図１、図２に示すように、フェルール押圧部４１は、両側面に第１のスライド溝１５の両側縁と嵌合可能な凹溝４２ａを有する押圧部本体４２と、押圧部本体４２の一端部から突設された一対の押圧片４３と、押圧部本体４２の押圧片４３側とは反対側の端部に突設されたピン４４を有する。
フェルール押圧部４１は、前記凹溝４２ａと第１のスライド溝１５の両側縁との嵌合により、第１のスライド溝１５に沿ったスライド移動が可能なように基台１１に支持されている。押圧部本体４２は基台１１の内部に向けて開口した中空部４５を有し、この中空部４５には、駆動部６１の延出部６４先端の鉤部６４ａ（詳しくは後述）が差し入れられている。これにより、駆動部６１が第２のスライド溝１６の末端側（基台１１の端部壁１３ａ側）の停止位置（図１（ｂ）参照）に停止しているときには、フェルール押圧部４１は鉤部６４ａが係止することによりヘッド部３１側にスライド移動することが阻止され、ヘッド部３１の回動を邪魔するおそれがない。
【００２３】
押圧片４３は、フェルール１の後端面６に当接することにより、挿入口６ａを避けた両側にフェルール押圧部４１からの押圧力を付与するためのものである。ピン４４には、駆動部６１からの駆動力をフェルール押圧部４１に伝達するスプリング７１が装着される。押圧片４３およびピン４４は、それぞれ、フェルール押圧部４１のスライド方向に沿う一側および他側に突設されている。
フェルール１に挿入された光ファイバ３は、両押圧片４３の間に挿通させることができ、このとき、当該区間の光ファイバ３の外周には両押圧片４３の間で姿勢の自由度が確保されている。これにより、フェルール１と該フェルール１の後方の光ファイバ把持部５１との間は、光ファイバ３のたわみ変形を許容する空間７となっている。
【００２４】
光ファイバ把持部５１は、両側面に第２のスライド溝１６の両側縁と嵌合可能な凹溝５２ａを有するベース５２と、ベース５２の一側部（図３の右側）に設けられた軸５３ａに軸支された蓋５３と、ベース５２の一側部とは異なる端部（図１（ａ）等参照）に突設された一対のピン５４を有する。
ベース５２は、前記凹溝５２ａと第２のスライド溝１６の両側縁との嵌合により、第２のスライド溝１６に沿ったスライド移動が可能なように基台１１に支持されている。
ピン５４のそれぞれには、駆動部６１からの駆動力を光ファイバ把持部５１に伝達するスプリング７２が装着される。
【００２５】
ベース５２の上面５５には、光ファイバ３を位置決めできるファイバ溝５５ａと、ファイバ溝５５ａの脇に突設されたファイバ止め突起５５ｂとが形成されている。
ファイバ溝５５ａは光ファイバ把持部５１のスライド方向に沿って延びている。ファイバ止め突起５５ｂは、ファイバ溝５５ａから光ファイバ３が外れることを抑制する。ファイバ止め突起５５ｂは、ここではファイバ溝５５ａに対して蓋５３を軸支する軸５３ａの側とは反対側に形成されている。なお、ファイバ止め突起５５ｂの形態は、ファイバ溝５５ａを介して互いに対向する両側に形成するなどでもよく、特に限定されない。
【００２６】
蓋５３のベース上面５５に対向する面には、ゴム等からなる緩衝部材５３ｂが固着されている。緩衝部材５３ｂは、蓋５３がベース上面５５と向かい合ったときにファイバ溝５５ａ上を覆う箇所に配置されている。これにより、ファイバ溝５５ａと蓋５３との間に光ファイバ３を挟んだ際に光ファイバ３は緩衝部材５３ｂと当接し、光ファイバの損傷等を抑制できる。
【００２７】
ベース５２のファイバ溝５５ａから下方には、フェルール押圧部４１を付勢するスプリング７１が挿通される貫通穴５６が形成されている。
ベース５２の蓋５３と対向する位置には、蓋５３を磁着するための磁石５７が配置されている。ここでは磁石５７は、ベース５２の上面５５と対向する裏面から凹陥された凹部５７ａに収納されている。
【００２８】
駆動部６１は、両側面に第２のスライド溝１６の両側縁と嵌合可能な凹溝６２ａを有する駆動部本体６２と、駆動部本体６２の凹溝６２ａ側に突出する一対のツマミ６３と、駆動部本体６２から光ファイバ把持部５１側に延出された延出部６４とを有する。延出部６４の先端には、上述のように、フェルール押圧部４１の中空部４５に挿入された鉤部６４ａが形成されている。
また、駆動部本体６２には、フェルール押圧部４１および光ファイバ把持部５１のピン４４，５４に対向する位置に、前記スプリング７１，７２を装着するためのピン６５，６６が突設されている。駆動部本体６２の上面には、光ファイバ３が挿通される溝６８が形成されている。
【００２９】
駆動部６１をヘッド部３１に向かってスライド移動させるとフェルール押圧部４１および光ファイバ把持部５１がヘッド部３１に向かって駆動されるようになっている。
ここでは、駆動部６１はスプリング７１，７２を介してフェルール押圧部４１および光ファイバ把持部５１と連結されており、このスプリング７１，７２を介して駆動部６１の駆動力がフェルール押圧部４１および光ファイバ把持部５１に伝達されるようになっている。
【００３０】
スプリング７１，７２は、例えばコイルバネであり、この弾性的伸縮によって駆動部６１とフェルール押圧部４１および光ファイバ把持部５１との間隔が変動可能になっている。また、駆動部６１をヘッド部３１に向けて駆動して、フェルール押圧部４１および光ファイバ把持部５１を押圧する際に、スプリング７１，７２が圧縮するようにすると、フェルール押圧部４１および光ファイバ把持部５１に所望の付勢力を付与することができる。
【００３１】
駆動部６１の内部には、略Ｃ字状の板バネ７３が収容され、固定ネジ７４によって駆動部本体６２に固定されている。この板バネ７３の両端部７３ａ近傍には、Ｖ字状の屈曲により係合凸部７３ｂが形成されている。係合凸部７３ｂの突出先端は、ツマミ６３の下端部に形成された切欠状の窓６７から露出されており、第２のスライド溝１６の両側縁に当接している。
【００３２】
図１０に示すように、駆動部６１をヘッド部３１に向かって駆動するとき、マスターフェルール２１と前記フェルール押圧部４１に押圧されたフェルール１との先端面５，２５同士の間に押圧力が付与される位置に到達すると、係合凸部７３ｂは第２のスライド溝１６の両側縁に形成された係合凹部１７に係合し、駆動部６１のスライド移動を前記停止位置よりもヘッド部３１側に位置する押圧位置（図１０参照）で停止させるようになっている。
係合凹部１７の位置は、駆動部６１のヘッド部３１側へのスライド移動によってフェルール１や光ファイバ３に付与される押圧力等が適当な大きさになり、押し込み過ぎにならないようにして決めることができる。
【００３３】
次に、本発明の光コネクタ組立工具の使用方法の一例について説明する。
まず、光ファイバ把持部５１の蓋５３は、フェルール１をマスターフェルール２１に嵌合させる前に開けておき、次いで図６に示すように、ヘッド部３１を軸３２周りに回動させて基台１１におけるフェルール押圧部４１のスライド方向（図６の水平方向）に対して上向きに傾斜させておく。
【００３４】
次いで、図５に示すように、先端部の樹脂被覆を除去して裸光ファイバ３ａを露出させた光ファイバ３をフェルール１の内部空間４に挿入し、裸光ファイバ３ａを誘い溝４ｃ上に載せてから、図６に示すように、マスターフェルール２１のガイドピン２４をフェルール１のガイドピン穴（図示略）に挿入することにより、フェルール１をマスターフェルール２１に嵌合させる。ブーツ６ｂは光ファイバ３をフェルール１に挿入する前に、予め光ファイバ３に通しておく。
フェルール１をマスターフェルール２１に接続したら、図１（ａ）に示すように、ヘッド部３１の位置を元に戻し、フェルール押圧部４１の押圧片４３がフェルール１の後端面６に対向するようにする。
【００３５】
次いで、フェルール１の後方に延びる光ファイバ３を光ファイバ把持部５１のファイバ溝５５ａに位置決めし、蓋５３を閉じてベース５２と蓋５３との間に光ファイバ３を把持する。
さらに、図９、図１０に示すように、駆動部６１をヘッド部３１に向けて押し込むことにより、フェルール押圧部４１および光ファイバ把持部５１をヘッド部３１に向けてスライド移動させる。フェルール押圧部４１の移動により、フェルール１とマスターフェルール２１との先端面５，２５同士の間に押圧力を作用させることができる。また、光ファイバ把持部５１の移動により、光ファイバ３に押圧力を付与して裸光ファイバ３ａをフェルール１の光ファイバ挿入穴２に挿入することができる。
【００３６】
フェルール１の光ファイバ挿入穴２に挿入された裸光ファイバ３ａは、マスターフェルール２１の光ファイバ２３に突き当たるまで押し込まれ、これにより裸光ファイバ３ａの端面の位置がフェルール１の先端面５に対して位置決めされる。なお、光ファイバ３の端面がマスターフェルール２１に突き当たると、図９に示すように、フェルール１と光ファイバ把持部５１との間で光ファイバ３がたわむので、これにより、光ファイバ３がマスターフェルール２１に突き当たって位置決めされたことを認識することができる。また、光ファイバ３自身の弾性力により、マスターフェルール２１に対する光ファイバ３の押圧力を確保することができる。
なお、フェルール１がマスターフェルール２１に押圧されるとき、フェルール１と光ファイバ把持部５１との距離は、光ファイバ３のたわみ（曲がり）が過度とならない程度、確保する。
【００３７】
図１０に示すように、駆動部６１の板バネ７３ｂの係合凸部７３ｂが第２のスライド溝１６の係合凹部１７に係合することにより、駆動部６１がマスターフェルール２１に対する突き合わせ方向の後方に後退することが阻止され、フェルール１とマスターフェルール２１との突き合わせ状態を容易に維持することができる
フェルール１の窓４ａから接着剤を注入し、フェルール１内で光ファイバ３を固定する。光ファイバ３の接着固定後、光ファイバ把持部５１の蓋５３を開け、ヘッド部３１を上方に傾けてフェルール１をマスターフェルール２１から取り外す。
以上のようにして、光ファイバ３の先端部にフェルール１を取り付け、光コネクタを組み立てることができる。
【００３８】
本発明の光コネクタ組立工具によれば、ヘッド部に保持されるマスターフェルールがガイドピンを介してフェルールと接続（嵌合）することが可能であるので、フェルールはマスターフェルールに固定することができる。また、マスターフェルールを保持したヘッド部が回動可能であるので、ヘッド部を基台に対して上方に傾けることにより、マスターフェルールに対するフェルールの取り付けが手などで容易に行うことができる。
駆動部によってフェルール押圧部および光ファイバ把持部の両方を共にヘッド部に向かってスライド移動させることが可能なので、フェルールの光ファイバ挿入穴に光ファイバを挿入することと、フェルール内に挿入された光ファイバの端面をフェルールの先端面に位置決めすることとを、駆動部の操作によって一度に行うことができる。
以上により、工具の構造を簡略化することができ、工具の小型化や低価格化なども実現できる。また、作業手順を簡略化することができ、作業性や能率を向上させることが可能となる。
【００３９】
フェルールの後方に、光ファイバ３がたわむことを許容する空間を確保したので、光ファイバのたわみ変形により、光ファイバがマスターフェルールに突き当たって位置決めされたことを認識することができる。また、光ファイバ自身の弾性力により、マスターフェルールに対する光ファイバの押圧力を確保することができる。
【００４０】
以上、本発明を最良の形態に基づいて説明してきたが、本発明は上述の最良の形態に限定されるものではなく、本発明の要旨を逸脱しない範囲で種々の改変が可能である。
例えば、基台、マスターフェルール、ヘッド部、フェルール押圧部、光ファイバ把持部、駆動部などの構成や構造などは、上記実施の形態に特に限定されるものではない。
フェルールの心数（光ファイバ挿入穴の個数）は、特に限定されるものではない。
【産業上の利用可能性】
【００４１】
本発明は、例えば光通信など各種分野で、光ファイバの先端に光コネクタを組み立てる作業などに利用することができる。
【図面の簡単な説明】
【００４２】
【図１】本発明の光コネクタ組立工具の一例を示す（ａ）平面図、（ｂ）長手方向に沿う断面図である。
【図２】図１のＩＩ−ＩＩ線に沿う断面図である。
【図３】図１のＩＩＩ−ＩＩＩ線に沿う断面図である。
【図４】図１のＩＶ−ＩＶ線に沿う断面図である。
【図５】マスターフェルールの一例を示す部分切欠正面図である。
【図６】フェルールの一例を示す断面図である。
【図７】ヘッド部に保持されたマスターフェルールにフェルールを取り付ける様子を示す説明図である。
【図８】ヘッド部が傾斜した状態でフェルール押圧部の進入が規制される様子を示す説明図である。
【図９】光ファイバがフェルール内に挿入及び位置決めされる様子を示す説明図である。
【図１０】光ファイバがフェルール内に挿入及び位置決めされる様子を示す平面図である。
【符号の説明】
【００４３】
１…フェルール、２…光ファイバ挿入穴、３…光ファイバ、４…フェルールの内部空間、５…フェルールの先端面、７…光ファイバのたわみを許容する空間、１０…光コネクタ組立工具、１１…基台、２１…マスターフェルール、２２…光ファイバ挿入穴、２３…光ファイバ、２３ａ…光ファイバの端面、２４…ガイドピン、２５…マスターフェルールの先端面、３１…ヘッド部、４１…フェルール押圧部、５１…光ファイバ把持部、６１…駆動部、７１，７２…スプリング。
【図１】
2005331563.tif 000003
【図２】
2005331563.tif 000004
【図３】
2005331563.tif 000005
【図４】
2005331563.tif 000006
【図５】
2005331563.tif 000007
【図６】
2005331563.tif 000008
【図７】
2005331563.tif 000009
【図８】
2005331563.tif 000010
【図９】
2005331563.tif 000011
【図１０】
2005331563.tif 000012